(57)【特許請求の範囲】
【請求項１】
ベルトストラップの動作に反応して、および／または車両の動作に反応して制御可能なロッキングシステムと；ベルトシャフトに支持され、旋回することにより、ハウジングに固定された噛合部の中に噛み合い及び離脱可能に設けられた歯付爪（１）と；備え、所定のベルト引き出し長さの間で前記ロッキングシステムを非作動にできる自動車用シートベルトリトラクタにおいて、
前記歯付爪（１）がバネ（８）によって前記噛合部に噛み合うように付勢され、
前記ロッキングシステムを非作動にするロッキング部材（９）が設けられ、
前記ロッキング部材（９）はベルト引き出し長さに応じて、前記バネ（８）を解除する第１の位置から前記バネ（８）をロックする第２の位置まで移動可能であり、
前記ロッキング部材（９）は、前記第２の位置で前記バネ（８）に当接し、
前記ロッキング部材（９）が前記第１の位置の時には、前記歯付爪（１）が前記バネ（８）によって前記噛合部に噛み合い、前記第２の位置の時には、前記歯付爪（１）が前記バネ（８）による付勢から開放されて前記噛合部から離脱することを特徴とするシートベルトリトラクタ。
【請求項２】
前記ロッキングシステムが、前記歯付爪（１）の旋回動作を制御する制御板（３）を含み、
前記バネ（８）は、一端（８ｂ）が前記制御板（３）に連結され、他端（８ａ）が前記歯付爪（１）に連結され、
前記制御板（３）が前記ベルトシャフトに対して回転すると、前記歯付爪（１）が旋回して前記噛合部に噛み合うことを特徴とする、請求項１に記載のシートベルトリトラクタ。
【請求項３】
前記ロッキング部材（９）および前記制御板（３）が一体に成形されていることを特徴とする請求項２に記載のシートベルトリトラクタ。
【請求項４】
前記バネ（８）がΩ形状のオメガバネとして形成されており、前記ロッキング部材（９）が前記第２の位置で前記オメガバネに係合することを特徴とする請求項１〜３のいずれか一項に記載のシートベルトリトラクタ。
【請求項５】
前記ロッキング部材（９）が、前記オメガバネの端部（８ａ、８ｂ）の中心で当該オメガバネに係合することを特徴とする請求項４に記載のシートベルトリトラクタ。
【請求項６】
前記オメガバネによって規定された平面と、前記第１の位置から第２の位置への前記ロッキング部材（９）の移動とが互いに垂直であることを特徴とする請求項４又は５に記載のシートベルトリトラクタ。
【請求項７】
前記第１の位置から第２の位置への前記ロッキング部材（９）の移動がベルトシャフトによって駆動されるカウントギヤ（４）によって制御されることを特徴とする請求項１〜６のいずれか一項に記載のシートベルトリトラクタ。
【請求項８】
前記ロッキング部材（９）がシフトカム（１０）を有し、それに半径方向に動くシフト要素（５）が当接し、前記シフト要素（５）の半径方向運動が前記シフトカム（１０）によって前記ロッキング要素（９）の軸線運動に変換されることを特徴とする請求項１〜７のいずれか一項に記載のシートベルトリトラクタ。
【発明の詳細な説明】
【技術分野】
【０００１】
本発明は、請求項１のプリアンブルの特徴を有するシートベルトリトラクタに関する。
【背景技術】
【０００２】
国際特許出願公開第２００８／０６４８７０号パンフレットから、すでにその制御運動が外側噛合部を備える質量慣性制御板によって制御されるハウジングに固定された噛合部内でロック可能の歯付円板を備えるシートベルトリトラクタが知られている。車両加速度センサおよび制御板のベルトストラップ感応性の駆動は、ほぼベルトシャフトの全シートベルトが巻き付けられる機能領域で非作動にすることができる。それによって、シートベルトリトラクタのロッキングシステムが、たとえば非常に速いベルトストラップ進入と、それに続く瞬間的な停止時に意図せずに作動され、シートベルトリトラクタがそれに続きロックされることが阻止されるものである。このロッキングシステムの非作動のために、シートベルトリトラクタの制御板に支承され、切換位置で車両加速度センサが遮断され、さらにまたベルトストラップ感応性の駆動の慣性質量を規定する固定レバーが設けられている。それによって前記ロッキングシステムは固定レバーによるセンサの非作動によって非作動にされる。
【先行技術文献】
【特許文献】
【０００３】
【特許文献１】国際特許出願公開第２００８／０６４８７０号
【発明の概要】
【発明が解決しようとする課題】
【０００４】
本発明の課題は、ロッキングシステムの非作動が可能な限り簡単な手段で、および可能な限り確実に実現されたシートベルトリトラクタを創ることである。
【課題を解決するための手段】
【０００５】
この課題の解決のために、本発明により歯付円板が１個のバネによって制御運動に抗してバネ付勢されており、前記ロッキングシステムの非作動のためにベルト伸長に応じてバネを解除する第１の位置からバネをロックする第２の位置へ移動可能であるロッキング部材が設けられていることが提案される。本発明は、この場合、歯付円板のバネ付勢によってロッキングシステムの制御運動がバネによって加えられたバネ力に抗して行われ、もしくはロッキングシステムの解除の応答閾値が本質的にバネによって同時に決定される事実を利用し、それによってロッキングシステムの非作動が簡単な方法で、まさにバネがロックされることによって行うことができる。バネのロックによって、バネの全運動をロックできるかまたはバネ力と共にロッキングシステムの応答閾値のみも歯付円板が速いベルトストラップ進入と、瞬間的にそれに続く進入運動の停止時におよび／または所定のベルト伸長以降は、非意図的に制御できず、シートベルトリトラクタをベルト伸長方向へロックするように、さらに高めることができる。
【０００６】
これは特にロッキング部材が第２の位置でバネに当接し、それによってバネから歯付円板に行使されたバネ力が高められおよび／またはその運動を制限することによって達成できる。
【０００７】
さらに、前記ロッキングシステムが歯付円板の制御運動を制御する制御板を含み、バネを一端で前記制御板に、および他端で前記歯付円板に連結されていることが提案される。これは、制御運動を制御するための制御板の実証済みの使用において、まさにロックされたバネが直接歯付円板の制御運動を生ぜしめる部分の間に配置されており、それによって直接前記制御運動をロックする長所を提供する。
【０００８】
この場合、ロッキング要素および制御板を一体に形成し、それによって前記ロッキング要素が前記制御板の形成時にプラスチック射出成形部品として同時に一緒に射出できることが提供される。
【０００９】
さらに、バネがオメガバネとして形成されており、ロッキング部材は第２の位置で前記オメガバネに係合することが提案される。オメガバネの使用は、この場合、歯付円板の制御時に前記オメガバネが明確に規定された変形運動を端部の開脚によって実行し、ロッキング部材と機能確実に所望のバネのロッキングを生ぜしめる位置に配設できるので、特に有利である。
【００１０】
変形運動はオメガバネの弧の中心で最大となるので、さらにロッキング部材が前記端部間の中心で前記オメガバネに係合することが提案される。
【００１１】
この場合、さらにオメガバネによって固定された平面と、ロッキング部材の第１の位置から第２の位置への運動が互いに垂直に配設されている場合に有利である。それによって、バネの変形運動およびロッキング部材の送り運動が同様に互いに垂直に配置されており、すでにバネの変形路内でロックしながら係合するためにロッキング部材の僅かな送り運動で十分である。
【００１２】
ロッキング部材の第１の位置から第２の位置への運動の、特に確実かつコスト的に有利な制御は、これがベルトシャフトによって駆動されるカウントギヤによって制御されることによって達成できる。前記制御は、それによってあらゆるセンサ装置または電子制御要素なしに行われ、それによって外側の制御ユニットまたは電源との外側への電気的接続が不要になる。
【００１３】
さらに、ロッキング要素がシフトカムを有し、それに半径方向に動くシフト要素が当接し、前記シフト要素の半径方向運動がシフトカムによってロッキング要素の軸線運動に変換されることが提案される。それによって、小さい取付空間でもシートベルトリトラクタに配設できるロッキング部材の送り運動を発生するコスト的に有利な機械的可能性が生じる。
【００１４】
以下、本発明は好ましい一実施例を利用してより詳しく説明する。図において、個別的に以下が識別される。
【図面の簡単な説明】
【００１５】
【図１ａ】制御された歯付円板を備えるシートベルトリトラクタ
【図１ｂ】図１ａの断面図Ａ−Ａ
【図２ａ】バネを解除する位置にロッキング部材を備えるシートベルトリトラクタ
【図２ｂ】図２ａの断面図Ａ−Ａ
【図３ａ】バネをロックする位置にロッキング部材を備えるシートベルトリトラクタ
【図３ｂ】図３ａの断面図Ａ−Ａ
【図４】斜板カム
【発明を実施するための最良の形態】
【００１６】
図１ａに、第一に本発明に係るシートベルトリトラクタが識別され、これはハウジングに固定された噛合部２の中へ制御可能の歯付円板１を備えるロッキングシステムを有する。歯付円板１は、揺動（旋回）可能に、図示しないシートベルトリトラクタのベルトシャフトに支承され、バネ８による付勢によって動作制御されている。図１ａに示した位置では、バネ８が緊張し、それによって歯付円板１が噛合部２の中へ制御されている。
【００１７】
図１ｂに、図１ａの断面方向Ａ−Ａに沿った断面図が識別される。より詳しくは、制御板３、ハウジングに固定された噛合部２および図示しないベルトシャフトによって駆動される斜板カムとして形成されたカウントギヤ４が識別される。さらに、その端部８ａおよび８ｂによって制御板３および歯付円板１に掛けられたバネ８が識別される。前記制御板３の中に、公知の方法で、図示しない制御輪郭が設けられており、その中に歯付円板１の案内ジャーナルが係合し、ベルトシャフトに対する制御板３の相対回転の実施時に、前記制御輪郭によって歯付円板１が噛合部２に噛み合うように動作制御される。制御板３およびベルトシャフト間の相対回転は、ハウジングに固定された車両加速度感応性に制御される固定レバーが制御板３の外側噛合部７の中へ係合することによって、または速いベルトストラップ伸長時にベルトシャフトに対する制御板３の慣性に制約された置き去りによって生ぜしめられる。
【００１８】
制御板３に、シフトカム１０を介して前記制御板３と一体に形成されたロッキング部材９が設けられている。歯付円板１から離れる側に、シフトカム１０に当接するシフト要素５が設けられている。前記シフト要素５の運動は、斜板カムとして形成されたカウントギヤ４の案内軌道１４の中に係合する案内ジャーナル６を介して制御される。カウントギヤ４はベルトシャフトによって駆動され、内側噛合部１１を備える斜板カムが制御板３の外側噛合部１２で転動する揺動運動を実行する。この場合、前記斜板カムは制御板３に対する揺動送り運動を実行し、それによって案内ジャーナル６は、図４に識別されるように、シャフト状の制御輪郭１５に沿って移動される。
【００１９】
図２ａ、２ｂ、３ａおよび３ｂに示された位置を利用して、バネ８のロッキング過程を以下に説明する。図２ａにおいて、シフト要素５は半径方向外側の位置に、およびロッキング部材９は、バネ８が解除される第１の位置にある。シートベルトリトラクタのロッキングシステムは、ロッキング部材９の前記位置で車両加速度およびベルトストラップ伸長加速度に応じて法定基準値に従ってベルトストラップ伸長をロックする。シフト要素５の案内ジャーナル６は、たとえば図４に示した位置で案内軌道１４の半径方向外側の領域にあり、制御輪郭１５に当接する。
【００２０】
さらなるベルトストラップ到来時に、ベルトシャフト回転を斜板カムの形態で計数するカウントギヤ４が逆時計回り方向に揺動運動を実施し、切換位置１６が案内ジャーナル６に向けて移動される。切換位置１６を通して案内ジャーナル６の通過時に、案内ジャーナル６と共にシフト要素５が半径方向内側へ押し込まれ、その際にロッキング部材９をシフトカム１０への当接によって図３ａおよび３ｂに示した第２の位置へ移動する。前記切換位置１６は、ロッキングシステムが非作動にされるそれまでに実行された、所定のベルトストラップ伸長のカウントギヤ４の回転の数に相当する。
【００２１】
ロッキング部材９は、図３ｂに識別されるように、軸線方向に移動され、オメガバネとして形成されたバネ８の中へほぼ中心に係合する。前記位置で制御板３がベルトシャフトに対して僅かに回転されるとき、これはたとえば速いベルトストラップ到来によって生じるように、それに続く制動または一般的にセンサの解除時に引き入れたベルトストラップに発生し得るとき、歯付円板１はロックされたバネ８を利用して、前記バネ８がロッキング部材９に当接することによって半径方向内側へ変形できないので、図１ａに示した位置へ制御できない。さらに、歯付円板１は、その質量によって高い遠心加速度と、それによって引き起こされるラジアル力の発生時でも自動的に制御運動を実行しないことを阻止する。この場合、ロッキング部材９によるバネ８のロッキングは、これが完全に進入したベルトストラップでまたは完全に巻き付けられたベルトで発生できる限りにおいてのみ力を吸収できなければならない。そのために、バネ８によって歯付円板１に加えられたバネ力が係合するロッキング部材９によって、ロッキングシステムの増大した応答閾値が噛合部２の中へ歯付円板１を入れることを阻止する限りで高められるだけで十分である。歯付円板１の僅かな運動は、この場合全く無害であり、その限りでシートベルトリトラクタはまさにロックされない。
【図１ａ】
0005639068.tif 000002
【図１ｂ】
0005639068.tif 000003
【図２ａ】
0005639068.tif 000004
【図２ｂ】
0005639068.tif 000005
【図３ａ】
0005639068.tif 000006
【図３ｂ】
0005639068.tif 000007
【図４】
0005639068.tif 000008